(57)【要約】      （修正有）【課題】ストレートネックを効果的に改善することができる枕を提供すること。【解決手段】枕１は、使用者の首部を支持する枕１であって、細長形状に形成されることを特徴とする。細長形状は、細長の袋状体１０に充填物を充填して形成され、袋状体１０には、充填物の充填口１１が設けられる。充填口１１は、袋状体１０の短尺な一対の辺部のうちいずれか一方に設けられる。充填物は、パイプ状ビーズ２０とし、炭の成分を含んで形成された第１のビーズ２１とトルマリンの成分を含んで形成された第２のビーズ２２を有する。【選択図】図２
0003206174.tif 000002
【実用新案登録請求の範囲】
【請求項１】
使用者の首部を支持する枕であって、細長形状に形成されることを特徴とする枕。
【請求項２】
前記細長形状は、細長の袋状体に充填物を充填して形成され、前記充填物の充填口が設けられることを特徴とする請求項１に記載の枕。
【請求項３】
前記充填口は、前記袋状体の短尺な一対の辺部のうちいずれか一方に設けられることを特徴とする請求項２に記載の枕。
【請求項４】
前記充填物は、パイプ状ビーズとすることを特徴とする請求項３に記載の枕。
【請求項５】
前記パイプ状ビーズは、炭の成分を含んで形成された第１のビーズを有することを特徴とする請求項４に記載の枕。
【請求項６】
前記パイプ状ビーズは、トルマリンの成分を含んで形成された第２のビーズを有することを特徴とする請求項４または請求項５に記載の枕。
【請求項７】
前記袋状体のいずれか他方の短尺な辺部または一対の長尺な辺部に前記充填物を排出する排出口を設けることを特徴とする請求項６に記載の枕。
【請求項８】
前記充填物が充填されたときの袋状体の長尺部の寸法および短尺部の寸法を人の首部周辺の体型データの平均値に基づいて設定することを特徴とする請求項２乃至請求項７のいずれかに記載の枕。
【請求項９】
前記人の肩幅の寸法の平均値をＡとし、前記首部の長さ寸法の平均値をＢ、安全率をα、βとしたとき、前記長尺部の寸法Ａ´および前記短尺部の寸法Ｂ´をそれぞれ以下の数１、数２に基づいて設定することを特徴とする請求項８に記載の枕。
[数１]Ａ´＝Ａ×α
[数２]Ｂ´＝Ｂ×β
【請求項１０】
前記充填物が充填されたときの上面側の断面形状を円弧状とすることを特徴とする請求項２乃至請求項９のいずれかに記載の枕。
【請求項１１】
前記使用者の頚椎を前彎した状態で支持することを特徴とする請求項１乃至請求項１０のいずれかに記載の枕。
【考案の詳細な説明】
【技術分野】
【０００１】
本考案は、枕に関し、特に細長形状に形成された枕に関する。
【背景技術】
【０００２】
従来の枕は、使用者の頭部を支持するように矩形状または矩形状に近い長方形状に形成されることが多い。このような枕は、例えば特許文献１乃至特許文献３に開示されている。
【先行技術文献】
【特許文献】
【０００３】
【特許文献１】特開２００６−０１４８４６号公報
【特許文献２】特開２００６−０７５４８８号公報
【特許文献３】特開２００７−３１９６５４号公報
【考案の概要】
【考案が解決しようとする課題】
【０００４】
ところで、頚椎は重い頭部を後方で支えるため彎曲(生理的前彎)を形成しているが（図７参照）、例えば、ＰＣ作業、肩こり、背中痛等による日常生活の活動性の低下及び前傾を伴う不良姿勢から、頭部の重量に耐えかねて頚椎の彎曲（生理的前彎）が減少し、頚部痛・肩こり・不眠・自律神経失調症等を招く。頚椎の前傾姿勢が習慣化すると頚椎環軸関節（第１頚椎・第２頚椎）の前下方への移動が起こり下位頚椎の前方移動を誘発し、彎曲（生理的前彎）の減少からストレートネック（図８参照）へ移行する。
【０００５】
ストレートネックは病名でなくレントゲンを撮ると頚椎症等の疾患があり、治療は、消炎鎮痛剤、外用薬に加え、頚椎の牽引、温熱療法等の対症療法が主でこれという治療法がなかった。また、ストレートネックの矯正は、頚椎の生理的前彎を維持する観点から重要であり頚椎矯正枕の開発が求められていた。
【０００６】
本考案は、上記課題の解決のためになされたものであり、ストレートネックを効果的に改善することができる枕を提供することを目的とする。
【課題を解決するための手段】
【０００７】
上記の課題を解決すべく、本考案に係る枕は、使用者の首部を支持する枕であって、細長形状に形成されることを特徴とする。
【０００８】
上記構成によれば、使用者の首部を支持し、細長形状に形成されるため、使用者の首部に適合しながら該首部を支持し、ストレートネックを効果的に改善することができる。
【０００９】
本考案に係る枕の前記細長形状は、細長の袋状体に充填物を充填して形成され、前記充填物の充填口が設けられることを特徴とする。
【００１０】
上記構成によれば、充填物により細長形状が形成されるため使用者の首部を効果的に支持することができ、結果、ストレートネックを効果的に改善することができる。
【００１１】
本考案に係る枕の前記充填口は、前記袋状体の短尺な一対の辺部のうちいずれか一方に設けられることを特徴とする。
【００１２】
上記構成によれば、充填口を袋状体の短尺な一対の辺部のうちいずれか一方に設けたので充填物を容易に充填することができる。
【００１３】
本考案に係る枕の前記充填物は、パイプ状ビーズとすることを特徴とする。
【００１４】
上記構成によれば、充填物を形状に柔軟性のあるパイプ状ビーズとすることで使用者の首部を効果的に支持することができ、結果、ストレートネックを効果的に改善することができる。
【００１５】
本考案に係る枕のパイプ状ビーズは、炭の成分を含んで形成された第１のビーズを有することを特徴とする。
【００１６】
上記構成によれば、炭の成分を含んで形成された第１のビーズが充填されるので消臭、殺菌、温熱、湿度調整の効果がある。
【００１７】
本考案に係る枕のパイプ状ビーズは、トルマリンの成分を含んで形成された第２のビーズを有することを特徴とする。
【００１８】
上記構成によれば、トルマリンの成分を含んで形成された第２のビーズが充填されるのでマイナスイオン効果が得られる。
【００１９】
本考案に係る枕は、前記袋状体のいずれか他方の短尺な辺部または一対の長尺な辺部に前記充填物を排出する排出口を設けることを特徴とする。
【００２０】
上記構成によれば、充填物の排出口を設けているため、充填物であるパイプ状ビーズの充填量を容易に調整することができ、使用者の首部の形状に更に容易に適合させることができる。
【００２１】
本考案に係る枕は、前記充填物が充填されたときの袋状体の長尺部の寸法、短尺部の寸法、および高さ寸法を人の首部周辺の体型データの平均値に基づいて設定することを特徴とする。
【００２２】
上記構成によれば、充填物が充填されたときの袋状体の長尺方向の寸法および短尺方向の寸法を人の首部周辺の体型データの平均値に基づいて設定しているので、使用者の首部の形状に更に容易に適合させて使用者の首部を適切に支持することができる。この結果、ストレートネックを効果的に改善することができる。
【００２３】
本考案に係る枕は、前記人の肩幅の寸法の平均値をＡとし、前記首部の長さ寸法の平均値をＢ、安全率をα、βとしたとき、前記長尺部の寸法Ａ´、前記短尺部の寸法Ｂ´をそれぞれ以下の数１、数２に基づいて設定することを特徴とする。
[数１]Ａ´＝Ａ×α
[数２]Ｂ´＝Ｂ×β
【００２４】
上記構成によれば、人の肩幅の寸法の平均値をＡとし、首部の長さ寸法の平均値をＢとしたとき、長尺方向の寸法がＡ×αおよび短尺方向の寸法がＢ×βとなるように設定されるので、使用者の首部の形状に更に容易に適合させて使用者の首部を適切に支持することができる。この結果、ストレートネックを効果的に改善することができる。
【００２５】
本考案に係る枕は、前記充填物が充填されたときの上面側の断面形状を円弧状とすることを特徴とする。
上記構成によれば、充填物が充填されたときの上面側の断面形状を円弧状としたので、使用者の首部の形状に容易に適合させて使用者の首部を適切に支持し、ストレートネックを効果的に改善することができる。
【００２６】
本考案に係る枕は、前記使用者の頚椎を前彎した状態で支持することを特徴とする。
上記構成によれば、使用者の頚椎を前彎した状態で支持することとしたので、使用者の頸椎を適切に支持することができる。
【考案の効果】
【００２７】
本考案に係る枕は、以上説明したように、本考案によれば、ストレートネックを効果的に改善することができる枕を提供することができる。
【図面の簡単な説明】
【００２８】
【図１】実施形態に係る枕の構成を示す図である。
【図２】実施形態に係る枕の使用方法を示す図である（充填時）。
【図３】実施形態に係る枕の使用方法を示す図である（排出時）。
【図４】実施形態に係る枕の充填物の構成を示す図である。
【図５】使用者の首部の体型データを示す図である。
【図６】枕の寸法を示す図である。
【図７】頚椎の彎曲(生理的前彎)を示す図である。
【図８】頚椎の彎曲の減少(ストレートネック)を示す図である。
【考案を実施するための形態】
【００２９】
（実施形態）
図１は、本考案の実施形態に係る枕の構成を示す図である。図１（ａ）は袋状体に充填物が充填された状態を示す平面図、図１（ｂ）は同正面図、図１（ｃ）は左側面図、図１（ｄ）は右側面図、図１（ｅ）はファスナー部分（充填口）の拡大図である。
【００３０】
図１に示すように、実施形態に係る枕１は、使用者の首部を支持する枕１であって、細長形状に形成されている。すなわち、枕１は、充填口１１及び排出口１２を有する細長形状の袋状体１０であって、内部にパイプ状ビーズ２０が充填されて使用される。ここで、袋状体１０は、伸縮性を有する材料で形成され、かつ、キルティング加工が施されている。また、充填口１１及び排出口１２には、ファスナーが取り付けられている。
【００３１】
また、枕１の充填口１１は、袋状体１０の短尺方向の一対の辺部のうちいずれか一方に設けられている（図１では、短尺方向の一対の辺部のうち右側に設けている）。さらに、枕１の排出口１２は、袋状体１０の長尺方向の一対の辺部に設けられており、より詳しくは長尺方向の一対の辺部のいずれかに設けられており、かつ、袋状体１０の長尺方向の一対の辺部に所定の間隔で複数設けられている。さらにまた、排出口１２は、袋状体１０の短尺方向の一対の辺部のうち他方側に設けられている。
【００３２】
図２は、実施形態に係る枕１の使用方法を示す図であり、図２（ａ）は袋状体１０に充填物を充填する前の状態を示す平面図、図２（ｂ）は充填物を示す図、図２（ｃ）は袋状体１０に充填物を充填した後の状態を示す平面図である。
【００３３】
図２に示すように、枕１にはパイプ状ビーズ２０が充填口１１から充填される。
【００３４】
図３は、実施形態に係る枕１の排出口１２から充填物を排出した状態を示す図である。図３に示すように、袋状体１０に排出口１２を複数設けているので、容易に充填物であるパイプ状ビーズ２０を袋状体１０から排出することができる。また、排出口１２を複数設けているので、枕１の高さを調整したい位置のパイプ状ビーズ２０を袋状体１０から排出することができる。
【００３５】
図４は、充填物の構成を示す図である。図４（ａ）は炭の成分を含有する充填物（第１のビーズ）の構成を示す平面図、図４（ｂ）は同側面図、図４（ｃ）はトルマリンを含有する充填物（第２のビーズ）の構成を示す図、図４（ｄ）は同側面図である。
【００３６】
枕１に充填されるパイプ状ビーズ２０は、炭の成分を含んで形成された第１のビーズ２１と、トルマリンの成分を含んで形成された第２のビーズ２２とで構成されている。なお、第１のビーズ２１の第２のビーズ２２に対する混合比は、重量ベースで４０％乃至６０％が好ましく、５０％がより好ましい。
【００３７】
図５は、使用者の首部の体型データを示す図である。図５（ａ）は首部の幅寸法を示す図、図５（ｂ）は首部の長さ寸法および高さ寸法を示す図である。
【００３８】
図５に示すように、本実施形態では、使用者の肩幅の寸法の平均値をＡ、使用者の首部の長さ寸法の平均値をＢ、使用者の首部の高さ寸法をＣとしている。
【００３９】
図６は、実施形態に係る枕１の寸法を示す図である。図６（ａ）は平面図、図６（ｂ）は正面図である。実施形態に係る枕１の寸法は、図５を参照して説明した寸法に基づいて、決定される。具体的には、枕１の長尺方向の寸法をＡ´、枕１の中央部における短尺方向の寸法をＢ´、及び高さ寸法をＣ´とした時に、それぞれ以下の数１乃至数３に基づいて設定される。なお、Ａ〜Ｃの寸法は、図５を参照して説明した使用者の首部の体型データである。
[数１]Ａ´＝Ａ×α（αは、安全率）
[数２]Ｂ´＝Ｂ×β（βは、安全率）
[数３]Ｃ´＝Ｃ×２
【００４０】
なお、袋状体１０の端部における短尺方向の寸法は、Ｂ´×１．２となっているが、袋状体１０の中央部における短尺方向の寸法は、Ｂ´となっている。これは、袋状体１０の内部にパイプ状ビーズ２０が充填されているため、袋状体１０の中央部の断面が円形状になっているためである。なお、排出口１２の幅Ｗ１は、２ｃｍ乃至５ｃｍの長さ寸法とすることが好ましい。排出口１２は、長尺方向の辺部および短尺方向の辺部の長さ寸法よりも短い寸法に設定されている。
【００４１】
また、本実施形態に係る枕１の使用者が女性や子供の場合、長尺方向の寸法が４０ｃｍ乃至５０ｃｍ、短尺方向の寸法が８ｃｍ乃至１３ｃｍ、及び高さ寸法が５ｃｍ乃至１０ｃｍの範囲内であることが好ましく、更に長尺方向の寸法が４３ｃｍ、短尺方向の寸法が１１ｃｍ、及び高さ寸法が７ｃｍとすることがより好ましい。
また、本実施形態に係る枕１の使用者が大人の男性の場合、長尺方向の寸法が４５ｃｍ乃至６０ｃｍ、短尺方向の寸法が１３ｃｍ乃至２０ｃｍ、及び高さ寸法が７ｃｍ乃至１７ｃｍの範囲内であることが好ましく、更に長尺方向の寸法が５０ｃｍ、短尺方向の寸法が１７ｃｍ、及び高さ寸法が１０ｃｍとすることがより好ましい。
【００４２】
以上のように、本実施形態に係る枕１は、使用者の首部を支持する枕１であって、より詳しくは使用者の頚椎を前彎した状態で支持する枕１であって、細長形状に形成される。このため、使用者の首部を支持し、細長形状に形成されるため、使用者の首部に適合しながら該首部を支持し、ストレートネックを効果的に改善することができる。
【００４３】
また、本実施形態に係る枕１の前記細長形状は、細長の袋状体１０に充填物を充填して形成され、充填物の充填口１１が設けられる。このため、充填物により細長形状が形成されるため使用者の首部を効果的に支持することができ、結果、ストレートネックを効果的に改善することができる。
【００４４】
また、本実施形態に係る枕１の充填口１１は、袋状体１０の短尺な一対の辺部のうちいずれか一方に設けられる。このため、充填口１１を袋状体１０の短尺な一対の辺部のうちいずれか一方に設けたので充填物を容易に充填することができる。
【００４５】
また、本実施形態に係る枕１の充填物は、パイプ状ビーズ２０である。充填物を形状に柔軟性のあるパイプ状ビーズ２０とすることで使用者の首部を効果的に支持することができ、結果、ストレートネックを効果的に改善することができる。
【００４６】
また、本実施形態に係る枕１は、袋状体１０のいずれか他方の短尺な辺部または一対の長尺な辺部に充填物を排出する排出口１２を設けている。このため、充填物であるパイプ状ビーズ２０の充填量を容易に調整することができ、使用者の首部の形状に更に容易に適合させることができる。また、本実施形態に係る枕１の排出口１２は、袋状体１０の長尺方向の一対の辺部に所定の間隔で設けられているので充填物であるパイプ状ビーズ２０を袋状体１０から容易に排出することができる。また、排出口１２を複数設けているので、枕１の高さを調整したい位置のパイプ状ビーズ２０を排出することができる。
【００４７】
また、本実施形態に係る枕１は、充填物が充填されたときの袋状体１０の長尺部の寸法、短尺部の寸法、および高さ寸法を人の首部周辺の体型データの平均値に基づいて設定する。このため、使用者の首部の形状に更に容易に適合させて使用者の首部を適切に支持することができる。この結果、ストレートネックを効果的に改善することができる。
【００４８】
また、本実施形態に係る枕１は、人の肩幅の寸法の平均値をＡとし、首部の長さ寸法の平均値をＢ、首部の高さ寸法をＣ、安全率をα、βとしたとき、長尺部の寸法Ａ´、短尺部の寸法Ｂ´、前記高さ寸法Ｃ´をそれぞれ以下の数１乃至数３に基づいて設定される。
[数１]Ａ´＝Ａ×α
[数２]Ｂ´＝Ｂ×β
[数３]Ｃ´＝Ｃ×２
【００４９】
このため、人の肩幅の寸法の平均値をＡとし、首部の長さ寸法の平均値をＢ、首部の高さ寸法をＣとしたとき、長尺方向の寸法がＡ×α、短尺方向の寸法がＢ×β、及び高さ寸法がＣ×２となるように設定されるので、使用者の首部の形状に更に容易に適合させて使用者の首部を適切に支持することができる。この結果、ストレートネックを効果的に改善することができる。
【００５０】
また、本実施形態に係る枕１は、充填物が充填されたときの上面側の断面形状を円弧状とする。このため、使用者の首部の形状に容易に適合させて使用者の首部を適切に支持し、ストレートネックを効果的に改善することができる。なお、本実施形態に係る枕１は、充填物が充填されたときの下面側の断面形状も円弧状となっている。
【００５１】
また、本実施形態に係る枕１は、使用者が女性や子供の場合、長尺方向の寸法が４０ｃｍ乃至５０ｃｍ、短尺方向の寸法が８ｃｍ乃至１３ｃｍ、及び高さ寸法が５ｃｍ乃至１０ｃｍの範囲内となっており、使用者が大人の男性の場合、長尺方向の寸法が４５ｃｍ乃至６０ｃｍ、短尺方向の寸法が１３ｃｍ乃至２０ｃｍ、及び高さ寸法が７ｃｍ乃至１７ｃｍの範囲内となっている。このため、首部の形状に更に容易に適合させて首部を適切に支持することができる。
【００５２】
また、本実施形態に係る枕１のパイプ状ビーズ２０は、炭の成分を含んで形成された第１のビーズ２１と、トルマリンの成分を含んで形成された第２のビーズ２２とで構成され、第１のビーズ２１の第２のビーズ２２に対する混合比が、重量ベースで４０％乃至６０％である。
【００５３】
このため、炭の成分を含んで形成された第１のビーズ２１が充填されるので消臭、殺菌、温熱、湿度調整の効果がある。また、トルマリンの成分を含んで形成された第２のビーズ２２が充填されるので、マイナスイオン効果が得られる。さらに、第１のビーズ２１の第２のビーズ２２に対する混合比が、重量ベースで４０％乃至６０％であるため上記効果が最適な割合となる。なお、第１のビーズ２１および第２のビーズ２２はともに樹脂材料も含んで形成されている。
【００５４】
また、本実施形態に係る枕１の袋状体１０は、伸縮性を有する材料で形成されているため、パイプ状ビーズ２０の充填量を調整しても袋状体１０の形状が維持されるため、使用者の首部の形状に適合させることができる。
【００５５】
また、本実施形態に係る枕１の袋状体１０は、キルティング加工されているので保温効果を高めることが出来る。
【００５６】
なお、上記説明では、本考案の一実施形態である枕を例に本考案を説明したが、本考案は、上記の実施形態に限定されるものではなく、本考案の目的を達成できる範囲での変形、改良等は本考案に含まれるものである。例えば、上記実施形態では、主にストレートネックの矯正について説明したが、腰に敷いて寝ることで腰と背中のストレッチも行うことができる。また、該枕を使用することで通常では伸ばすことができない箇所の筋肉や筋をストレッチすることができる。さらに、枕の長手方向を背骨に沿って敷いて寝ることで側湾症・猫背・背中の疲労等を回復することができる。
【産業上の利用可能性】
【００５７】
本考案は、細長形状に形成された枕に関し、ストレートネックに悩む多くの人に役立ち、寝具業界、治療院等各種の業界の発展に寄与する。
【符号の説明】
【００５８】
１    枕
１０  袋状体
１１  充填口
１２  排出口
２０  パイプ状ビーズ
２１  第１のビーズ
２２  第２のビーズ
【図１】
0003206174.tif 000003
【図２】
0003206174.tif 000004
【図３】
0003206174.tif 000005
【図４】
0003206174.tif 000006
【図５】
0003206174.tif 000007
【図６】
0003206174.tif 000008
【図７】
0003206174.tif 000009
【図８】
0003206174.tif 000010